(57)【要約】【課題】  本発明の実施の形態によると、ビジネス決定を行うために、短距離無線ネットワークが通信サーバ又はサード・パーティ処理装置へ情報を提供することができる方法、システム及びコンピュータ読取り可能な媒体が提供される。【解決手段】  本発明の実施の形態によると、情報は、１）短距離無線ネットワーク中の装置のワイドエリアネットワーク通信使用、２）装置の健康、３）装置のバッテリの健康である。ビジネス決定は、１）通信ネットワークにアクセスする装置のタイプと製造者、転送されるデータのタイプと時間間隔に基づいて送り状を生成し、２）交換装置を提供し、３）交換バッテリを提供し、４）追加のサービスのために装置へソフトウェア・コンポーネントをダウンロードし、５）価格プランを提供し、６）プロモーショナル・プランを提供し、又は、７）レート・スケジュールを提供することである。
2005525004.tif 000002
【特許請求の範囲】
【請求項１】
（ａ）第１短距離無線ネットワークから情報を獲得するステップと、
（ｂ）情報に応答してビジネス決定を行うステップと、
を含む方法。
【請求項２】
獲得するステップが、ブルーツース（商標）装置から情報を獲得するステップを含む請求項１に記載の方法。
【請求項３】
獲得するステップが、２．４ＧＨｚ送受信機を持つ装置から情報を獲得するステップを含む請求項１に記載の方法。
【請求項４】
獲得するステップが、５．７ＧＨｚ送受信機を持つ装置から情報を獲得するステップを含む請求項１に記載の方法。
【請求項５】
獲得するステップが、ワイドエリアネットワーク（ＷＡＮ）と通信する短距離無線ネットワーク中のセルラー・モデムから情報を獲得するステップを含む請求項１に記載の方法。
【請求項６】
セルラー・モデムから情報を獲得するステップが、ＷＡＮ中のサーバからの要求に応答する請求項５に記載の方法。
【請求項７】
セルラー・モデムから情報を獲得するステップが、セルラー・モデムにより周期的に生成される請求項５に記載の方法。
【請求項８】
セルラー・モデムから情報を獲得するステップが、ユーザ入力に応答して生成される請求項５に記載の方法。
【請求項９】
獲得するステップが、ワイドエリアネットワーク（ＷＡＮ）と通信する短距離無線ネットワーク中のセルラー電話機から情報を獲得するステップを含む請求項１に記載の方法。
【請求項１０】
獲得するステップが、第２短距離無線ネットワークから情報を獲得するステップをさらに含む請求項１に記載の方法。
【請求項１１】
情報が、第１短距離無線ネットワーク中の装置のＷＡＮ通信使用である請求項１に記載の方法。
【請求項１２】
情報が、第１短距離無線ネットワーク中の装置の健康を指示する請求項１に記載の方法。
【請求項１３】
情報が、第１短距離無線ネットワーク中の装置のバッテリの健康を指示する請求項１に記載の方法。
【請求項１４】
行うステップが、短距離無線ネットワークのユーザに交換装置を提供するステップを含む請求項１２に記載の方法。
【請求項１５】
行うステップが、短距離無線ネットワークのユーザに交換バッテリを提供するステップを含む請求項１３に記載の方法。
【請求項１６】
行うステップが、短距離無線ネットワーク中の装置にソフトウェア・コンポーネントをダウンロードするステップを含み、ソフトウェア・コンポーネントは短距離無線ネットワークにサービスを提供する請求項１に記載の方法。
【請求項１７】
行うステップが、第１短距離無線ネットワークのユーザに対する送り状を生成するステップを含む請求項１に記載の方法。
【請求項１８】
送り状が、短距離無線ネットワーク中の第１製造者装置に対する第１料金を含む請求項１７に記載の方法。
【請求項１９】
送り状が、ワイドエリアネットワーク上に第１タイプのデータの転送する、短距離無線ネットワーク中の装置に対する第１料金、及び、ワイドエリアネットワーク上に第２タイプのデータの転送するその装置に対する第２料金を含む請求項１７に記載の方法。
【請求項２０】
送り状が、ワイドエリアネットワークにアクセスする、短距離無線ネットワーク中の第１のタイプの装置に対する第１料金、及び、ワイドエリアネットワークにアクセスする、短距離無線ネットワーク中の第２のタイプの装置に対する第２料金を含む請求項１７に記載の方法。
【請求項２１】
第１タイプのデータが時間の第１期間中に転送され、第２タイプのデータが時間の第２期間中に転送される請求項１９に記載の方法。
【請求項２２】
行うステップが、情報に応答して第１短距離無線ネットワークのユーザに対して価格プランを生成するステップを含む請求項１に記載の方法。
【請求項２３】
行うステップが、第１短距離無線ネットワークの第１ユーザ及び第２短距離無線ネットワークの第２ユーザに対してプロモーショナル・プランを提供するステップを含む請求項１０に記載の方法。
【請求項２４】
プロモーショナル・プランを提供するステップが、第１短距離無線ネットワークに対して、第１ユーザに割引コストで装置を提供することを含む請求項２３に記載の方法。
【請求項２５】
（ａ）短距離無線ネットワーク中の装置から装置情報を獲得するステップと、
（ｂ）装置情報に応答して短距離無線ネットワークのユーザにオブジェクトを提供するステップと、
を含むビジネス決定を行う方法。
【請求項２６】
装置が、セルラー電話機である請求項２５に記載の方法。
【請求項２７】
装置が、セルラー装置と通信するブルーツース（商標）装置である請求項２５に記載の方法。
【請求項２８】
獲得するステップが、ワイドエリアネットワーク中のデータベースからユーザ情報を獲得するステップをさらに含み、そして提供するステップが装置情報及びユーザ情報に応答する請求項２５に記載の方法。
【請求項２９】
装置情報が、装置のバッテリ寿命の指示を含み、そしてオブジェクトがバッテリである請求項２５に記載の方法。
【請求項３０】
提供するステップが、バッテリをユーザに郵送するステップを含む請求項２９に記載の方法。
【請求項３１】
装置情報が、装置の健康を含み、そしてオブジェクトが交換装置である請求項２５に記載の方法。
【請求項３２】
装置情報が、ワイドエリアネットワーク上での装置の通信使用であり、そしてオブジェクトが通信使用に関連した料金の送り状である請求項２８に記載の方法。
【請求項３３】
ユーザ情報が、ユーザの価格プランを含み、そしてワイドエリアネットワークがセルラー・ネットワークを含む請求項３２に記載の方法。
【請求項３４】
料金が、装置のタイプの関数である請求項３３に記載の方法。
【請求項３５】
料金が、通信使用の時間の期間の関数である請求項３３に記載の方法。
【請求項３６】
料金が、通信使用の際に転送されるデータのタイプの関数である請求項３３に記載の方法。
【請求項３７】
情報がワイドエリアネットワーク上の通信使用であり、そしてオブジェクトが通信使用を制限するためのメッセージである請求項２５に記載の方法。
【請求項３８】
獲得するステップがさらに、
（ｃ）ブルーツース（商標）装置からセルラー装置へ、情報を含んだ短距離無線信号を生成するステップと、
（ｄ）セルラー装置からワイドエリアネットワーク中の処理装置へ、情報を含んだセルラー信号を生成するステップと、
を含む請求項２８に記載の方法。
【請求項３９】
短距離無線信号を生成することが、ユーザ入力に応答する請求項３８に記載の方法。
【請求項４０】
短距離無線信号を生成することが、周期的に生成される請求項３８に記載の方法。
【請求項４１】
短距離無線信号を生成することが、閾値と装置の値との間の比較に応答する請求項３８に記載の方法。
【請求項４２】
獲得するステップがさらに、
（ｃ）要求メッセージに応答して、装置情報を含んだセルラー信号を生成するステップ、
を含む請求項２６に記載の方法。
【請求項４３】
要求メッセージが周期的に生成される請求項４２に記載の方法。
【請求項４４】
装置が、短距離無線プロセッサと２．４ＧＨＺ送受信機とを含む請求項２５に記載の方法。
【請求項４５】
装置が、短距離無線プロセッサと５．７ＧＨＺ送受信機とを含む請求項２５に記載の方法。
【請求項４６】
装置が、デスクトップ・コンピュータ、ラップトップ・コンピュータ、パーソナルデジタルアシスタント、ヘッドセット、ページャー、プリンタ、腕時計、薄型端末、デジタルカメラ、及びその均等物からなるグループから選ばれている請求項２５に記載の方法。
【請求項４７】
短距離無線ネットワークが、ブルーツース（商標）ネットワークである請求項２５に記載の方法。
【請求項４８】
ユーザにバッテリを提供する方法であって、
（ａ）セルラー装置へ短距離無線ネットワーク中の装置から、前記装置のバッテリ寿命に関する情報を含んだ短距離無線信号を生成するステップと、
（ｂ）ワイドエリアネットワーク中の処理装置へセルラー装置から、前記信号を含んだセルラー信号を生成するステップと、
（ｃ）前記情報に応答して前記装置のためのバッテリを、短距離無線ネットワークのユーザに提供するステップと、
を含んだ方法。
【請求項４９】
通信ネットワークのユーザに請求をする方法であって、
（ａ）セルラー装置へ短距離無線ネットワーク中の装置から、前記装置の通信ネットワークの使用情報を含んだ短距離無線信号を生成するステップと、
（ｂ）通信アネットワーク中の処理装置へ前記セルラー装置から、前記使用情報を含んだセルラー信号を生成するステップと、
（ｃ）使用情報に関連した料金のための送り状を、ユーザに提供するステップと、
を含んだ方法。
【請求項５０】
短距離無線ネットワークのユーザにオブジェクトを提供するためのシステムであって、
（ａ）装置情報を含んだ短距離無線信号を生成するための装置と、
（ｂ）短距離無線信号に応答して、装置情報を含んだセルラー信号を生成するためのセルラー装置と、
（ｃ）ユーザ情報を含んだデータベースを有し、装置情報とユーザ情報に応答してオブジェクトをユーザに提供するための処理装置と、
を含んだシステム。
【請求項５１】
処理装置がワイドエリアネットワーク中にあり、そしてオブジェクトがワイドエリアネットワーク上の装置の使用に対する送り状である請求項５０に記載のシステム。
【請求項５２】
オブジェクトがバッテリであり、そして装置情報が装置のバッテリ寿命を含む請求項５０に記載のシステム。
【請求項５３】
オブジェクトが交換装置であり、そして装置情報が装置の状態を含む請求項５０に記載のシステム。
【請求項５４】
コンピュータ読取り可能な媒体を含んだ製造物であって、
（ａ）メッセージ要求に応答して短距離無線ネットワーク中の装置の使用情報を含んだ短距離無線信号を受信するための短距離無線ソフトウェア・コンポーネントと、
（ｂ）セルラー・ネットワークにおいて、装置の使用情報を含んだセルラー信号を生成するためのセルラー・ソフトウェア・コンポーネントと、
を含んだ製造物。
【発明の詳細な説明】
【技術分野】
【０００１】
本発明は一般に、ネットワークに関する。
【背景技術】
【０００２】
セルラー電話機などの無線通信装置は、典型的に、ＷＡＮ又は通信ネットワークのノードである。また、セルラー電話機は、ラップトップ、プリンタ、パーソナルデジタルアシスタント（ＰＤＡ）及び／又はヘッドセットなどの他のユーザ装置と通信するための短距離無線ネットワークの一部でもある。例えば、ブルーツース（商標）技術(www.Bluetooth.com)は、短距離無線ネットワーク内の装置間の無線通信を提供する。
【０００３】
通信ネットワークのオペレータは、究極的に通信ネットワークを使用する短距離無線ネットワーク内の多くの装置を見ることはできない。典型的に、短距離無線ネットワーク内の装置はセルラー電話機又はセルラー・モデムを介して通信ネットワークにアクセスする。通信ネットワークのオペレータは、通信ネットワークの使用をノード又は短距離無線ネットワーク内にあるセルラー電話機により見る。短距離無線ネットワーク内の他の装置は、セルラー電話機へ情報を送信し又はセルラー電話機から情報を受信することにより、通信ネットワークの使用をする。例えば、ユーザは、イメージ・ファイル又はビデオを含むＰＤＡからの電子メールを、セルラー電話機を経由して短距離ネットワークに送る。この電子メールを通信ネットワーク上に転送することは、相対的に大きな帯域幅を使用し、短距離電話通信と比較してピーク使用時においてはユーザにとりコストがかかる。電子メールを転送することに関連するコストのため、ユーザは電子メールを通信ネットワーク上に送信しないことを選択するだろう。同様に、ユーザはピーク使用時における通信ネットワーク使用に関連する相対的に高いコストのために、ウェブサイトから大きなファイルをダウンロードすることをしないだろう。従って、ユーザは通信ネットワークにアクセスしないため、通信ネットワークのオペレータは潜在的な収入を失い、一方、ユーザは所望の情報及びサービスを得ることができない。
【０００４】
同様に、短距離無線ネットワークのユーザは、バッテリを持つ数多くの装置を持つ。装置及びバッテリの両方は、それらが故障する場合又は故障するおれがある場合、交換される必要がある。ユーザは、しばしば、装置及び／又はバッテリを交換する必要があるかどうかを決定する責任を有し、そして、装置及び／又はバッテリの交換をするために店まで行く必要がある。そして、故障した装置及び／又はバッテリのためにユーザは通信ネットワークにアクセスできない。そして、通信ネットワーク・プロバイダは故障した装置／バッテリに関連した収入を得る機会を失う。
【０００５】
従って、通信ネットワーク・オペレータ・トラフイックを増大する方法、システム及びコンピュータ読取り可能な媒体を提供し、これにより、ユーザに便利さと付加価値のサービスを提供しながら、収入を得ることが望ましい。
【発明の開示】
【０００６】
本発明の実施の形態による方法、システム、及びコンピュータ読取り可能な媒体は、ビジネス決定を行うために短距離無線ネットワークが情報を通信サーバ又は他のサード・パーティの処理装置へ提供することを可能にする。本発明の実施の形態では、情報は、１）短距離無線ネットワーク内の装置のワイドエリアネットワーク通信の使用、２）装置の健康、３）装置のバッテリの健康、３）装置タイプ、４）装置製造者、及び／又は５）装置の使用統計である。本発明の実施の形態では、ビジネス決定は、１）データ転送の時間の期間とタイプ、及び通信ネットワークにアクセスする装置のタイプ（製造者を含む）に基づいて送り状を生成し、２）装置の交換を提供し、３）バッテリの交換を提供し、４）追加サービスのためのソフトウェア部品を装置にダウンロードし、５）価格プランを提供し、６）プロモーショナル・プランを提供し、又は７）レート・スケジュールを変更することを含む。
【０００７】
本発明の１つの実施の形態によると、ビジネス決定を行う方法が提供される。装置情報が短距離無線ネットワーク内の装置から得られる。短距離無線ネットワークのユーザは、装置情報に応答するオブジェクトが与えられる。
【０００８】
本発明の１つの実施の形態によると、装置はセルラー電話機又はセルラー・モデムである。
【０００９】
本発明の１つの実施の形態によると、装置は短距離無線ネットワーク内の他の装置の装置情報を記憶する。
【００１０】
本発明の１つの実施の形態によると、装置はセルラー装置と通信するブルーツース（商標）装置である。
【００１１】
本発明の１つの実施の形態によると、獲得するステップがさらに、ワイドエリアネットワーク内のデータベースからユーザ情報を獲得するステップを含む。提供するステップは、装置情報とユーザ情報に応答する。
【００１２】
本発明の１つの実施の形態によると、装置情報は装置のバッテリ寿命の指示を含み、オブジェクトはバッテリである。
【００１３】
本発明の１つの実施の形態によると、提供するステップはバッテリをユーザへ郵送するステップを含む。
【００１４】
本発明の１つの実施の形態によると、装置情報は装置の健康を含み、そしてオブジェクトは交換装置を含む。
【００１５】
本発明の１つの実施の形態によると、装置情報はワイドエリアネットワーク上の装置の通信使用であり、そしてオブジェクトは通信使用に関連した料金の送り状である。
【００１６】
本発明の１つの実施の形態によると、ユーザ情報はユーザの価格プランを含み、そしてワイドエリアネットワークはセルラー・ネットワークを含む。
【００１７】
本発明の１つの実施の形態によると、料金は、装置タイプ、製造者、通信の使用時間の長さ、又は、通信使用時に転送されるデータのタイプの関数である。
【００１８】
本発明の１つの実施の形態によると、情報はワイドエリアネットワーク上での通信使用であり、そしてオブジェクトは通信使用を制限するためのメッセージである。
【００１９】
本発明の別の実施の形態によると、獲得するステップがさらに、ブルーツース（商標）装置からセルラー装置へ情報を含んだ短距離無線信号を生成するステップを含む。セルラー装置からワイドエリアネットワーク内の処理装置への情報を含んだセルラー信号が生成される。
【００２０】
本発明の実施の形態によると、短距離無線信号の生成はユーザ入力に応答して、又は、周期的に生成される。
【００２１】
本発明の実施の形態によると、短距離無線信号の生成はワイドエリアネットワークの処理装置からの要求に応答する。
【００２２】
本発明の実施の形態によると、短距離無線信号の生成は閾値と装置の値との間の比較に応答する。
【００２３】
本発明の実施の形態によると、獲得するステップがさらに、要求メッセージに応答して装置情報を含んだセルラー信号を生成するステップを含む。要求メッセージは周期的に生成される。
【００２４】
本発明の実施の形態によると、装置は短距離無線プロセッサ及び２．４又は５．７ＧＨＺトランシーバを含む。
【００２５】
本発明の実施の形態によると、装置はデスクトップ・コンピュータ、ラップトップ・コンピュータ、パーソナルデジタルアシスタント、ヘッドセット、ページ、プリンタ、薄型端末、腕時計、デジタルカメラ等からなるグループから選ばれる。
【００２６】
本発明の実施の形態によると、短距離無線ネットワークはブルーツース（商標）ネットワークである。
【００２７】
本発明の実施の形態によると、短距離無線ネットワークのユーザにオブジェクトを提供するためのシステムが提供される。システムは、装置情報を含む短距離無線信号を生成するための装置を含む。セルラー装置は、短距離無線信号に応答した装置情報を含むセルラー信号を発生する。ユーザ情報を含むデータベースを持つ処理装置は、装置情報及びユーザ情報に応答して、ユーザにオブジェクトを提供する。
【００２８】
本発明の実施の形態によると、コンピュータ読取り可能な媒体を含む製造物が提供される。製造物は、メッセージ要求に応答して短距離無線ネットワーク中で、装置のユーザ情報を含んだ短距離無線信号を受信するための短距離無線ソフトウェア・コンポーネントを含む。また、製造物は、セルラー・ネットワーク内で、装置のユーザ情報を含んだ、セルラー信号を生成するためのセルラー・ソフトウェア・コンポーネントを含む。
【００２９】
本発明の他の観点及び利点は、添付図面、以下の詳細な説明及び請求項を参照することにより理解できる。
【００３０】
（詳細な説明）
Ｉ．システム概観
以下の詳細な説明と請求項は、図１に示されるような本発明の実施の形態による短距離無線ネットワーク１１６から情報を獲得することに応答してビジネス決定を行うための方法、システム及びコンピュータ読取り可能な媒体に関連する。
【００３１】
本発明の実施の形態では、短距離無線ネットワーク１１６からの情報は、短距離無線ネットワーク１１６中の装置が直ちに交換されるべきか又はその健康などの、装置状態情報を含む。同様に、情報は、交換する必要のあるバッテリの健康を含む。本発明の代替的な実施の形態では、情報は、通信セルラー・ネットワークを含む短距離無線ネットワーク１１６に接続したＷＡＮ１０５の使用情報を含む。使用情報は、本発明の実施の形態では、１）ＷＡＮ１０５にアクセスする又はＷＡＮ１０５へのアクセスを行わせる装置（例えば、セルラー電話機１０６、ラップトップ１０７ｄ、ＰＤＡ１０７ｂ）のタイプと、２）ＷＡＮ１０５にアクセスする又はＷＡＮ１０５へのアクセスを行わせる装置の製造者と、３）ＷＡＮ１０５上に転送されるデータ（例えば、音声、イメージ、ビデオ）のタイプと、４）ＷＡＮ１０５にアクセスする又はＷＡＮ１０５へのアクセスを行わせる時間間隔とを、単一又は組合わせで含む。
【００３２】
短距離無線ネットワーク１１６から獲得された情報に応答して行われるビジネス決定は、本発明の実施の形態では、図１ｂに示されるような、オブジェクトをユーザ１２０に提供することを含む。オブジェクトは、送り状１２３と、交換装置１５０と、交換バッテリ１２４と、プロモーショナル・プラン１５１と、価格プラン１５２と、ソフトウェア・コンポーネント４１６又はその等価物を、単一又は組合わせで含む。プロモーショナル・プランなどのオブジェクトは、本発明の実施の形態では、それぞれの短距離無線ネットワークの複数のユーザに提供され、又は公衆に提供される。本発明の代替的な実施の形態では、オブジェクトは提供されない。例えば、通信オペレータ１２１は短距離無線ネットワーク１１６及び他の短距離無線ネットワークから得られた情報に基づいて使用料金又はレートを調節できる。
【００３３】
本発明の実施の形態では、短距離無線ネットワーク１１６は、相対的に小さい物理的範囲に広がり、少なくとも１つの装置がネットワーク中の別の装置と通信するために短距離無線信号を発生及び受信する、パーソナル・コンピュータ又はヘッドセットなどの処理装置のネットワークである。本発明の実施の形態では、短距離無線信号は約０乃至１０００フィート（３００メートル）の間を伝達する。短距離無線ネットワークの例は、ブルーツース（商標）、ホームＲＦ、８０２．１１技術を単一又は組合わせで又は等価技術による形成される装置のネットワークを含む。本発明の実施の形態では、短距離無線ネットワーク内の各処理装置は、その処理装置のメモリ内に記憶されているソフトウェア・コンポーネントを実行するそれ自身の処理ユニットを有するが、短距離無線ネットワーク上のデータ及び装置にもアクセスできる。本発明の実施の形態では、線、特に、イーサネット（登録商標）が短距離無線ネットワーク中の１つ又は複数の処理装置間の通信を提供する。代替的な実施の形態では、電磁信号が短距離無線ネットワーク中の１つ又は複数の処理装置間の無線通信を提供する。さらに別の実施の形態では、線及び電磁信号の両方が、短距離無線ネットワーク中の処理装置間の通信を提供する。
【００３４】
本発明の実施の形態では、ＷＡＮは相対的に大きな距離間で接続された複数のＬＡＮ及び／又は短距離無線ネットワークを含む。電話線及び電磁信号は単一又は組合わせで、ＷＡＮ内のＬＡＮ及び／又は短距離無線ネットワークを接続する。本発明の実施の形態では、ＷＡＮ１０５は、セルラー信号１１１を生成して受信するセルラー・ネットワークを含む。本発明の１つの実施の形態では、セルラー・ネットワークは地理的領域をセルと呼ばれる部分に分割するシステムとして定義される。本発明のアナログの実施の形態では、この分割の目的は送信周波数の限定された数を最大限に使用するためである。本発明のアナログの実施の形態では、各接続又は例えば会話のためには、それ自身の専用周波数を必要とし、そして利用可能な周波数の総数は約１，０００である。１，０００以上の同時の会話を支援するために、各セルに対して周波数の組の数を割当てる。２つのセルは、互いに隣接しない限り、同じ周波数を異なる会話に対して使用できる。
【００３５】
図１ａは、本発明の実施の形態によるシステム１００を示す。システム１００は、無線装置１０６に接続された他の装置又は端末１０７を含む。本発明の実施の形態では、装置１０６及び１つ又は複数の端末１０７は、短距離無線ネットワーク１１６を形成するために通信する。本発明の実施の形態では、端末１０７は短距離無線信号１１０により短距離無線ネットワーク１１６を形成するために装置１０６へ接続される。本発明の実施の形態では、全ての又はいくつかの端末１０７が有線接続を持つ。本発明の実施の形態では、端末１０７は、腕時計１０７ａ、ＰＤＡ１０７ｂ、ヘッドセット１０７ｃ、及びラップトップ・コンピュータ１０７ｄを含む。代替的な実施の形態では、短距離無線ネットワーク１１６内により少ない又はより多い端末を使用できる。代替的な実施の形態では、端末１０７は、デスクトップ・コンピュータと、ページャーと、プリンタと、薄型端末と、メッセージング端末と、デジタルカメラ又は等価物とを含む。本発明の実施の形態では、端末１０７は、ブルーツース（商標）２．４ＧＨｚ送受信機を含む。同様に、装置１０６は、ブルーツース（商標）２．４ＧＨｚ送受信機を含む。本発明の代替的な実施の形態では、ブルーツース（商標）５．７ＧＨｚ送受信機が使用される。図３ａ、３ｂに、本発明の実施の形態の装置１０６及び端末１０７のハードウェアが示される。
【００３６】
本発明の別の実施の形態では、８０２．１１又はホームＲＦ信号などの他のローカル無線技術が装置１０６と端末１０７を通信するために使用される。
【００３７】
本発明の実施の形態では、ＷＡＮ１０５が装置１０６に接続されている。本発明の実施の形態では、ＷＡＮ１０５はセルラー信号１１１を送信及び受信するセルラー・ネットワークを含む。本発明の実施の形態では、セルラー信号１１１は移動体通信用グローバル・システム（ＧＳＭ）プロトコルなどのプロトコルを使用して送信される。代替的な実施の形態では、符号分割複数アクセス（ＣＤＭＡ）、ＣＤＭＡ２０００、ユニバーサル・モバイル通信システム（ＵＭＴＳ）、時間分割複数アクセス（ＴＤＭＡ）、又は、汎用パケット無線サービス（ＧＰＲＳ）プロトコル又は等価物が使用される。
【００３８】
本発明の実施の形態では、ＷＡＮ１０５はキャリア・バックボーン１０４、サーバ１０１−１０２、及びインターネット１０３を含む。本発明の実施の形態では、ＩＰパケットが図１ａに示されるコンポーネント間で転送される。本発明の代替的な実施の形態では、他のパケット・タイプが図１ａに示されるコンポーネント間で転送される。
【００３９】
本発明の実施の形態では、ＷＡＮ１０５は、仮想プライベート・ネットワーク（ＶＰＮ）を使用したコーポレイト・セキュアド・ネットワークなどのプライベート・ネットワーク又はＩＰパブリック・ネットワークを含む。
【００４０】
本発明の代替的な実施の形態では、装置１０６は、イーサネット（登録商標）、デジタル加入者線（ＤＳＬ）又はケーブル・モデム接続を、単一又は組合わせることにより、ＷＡＮ１０５へ接続される。
【００４１】
本発明の実施の形態では、装置１０６は、セルラー・ハンドセット又は電話機である。本発明の代替的な実施の形態では、セルラー可能ＰＤＡ、無線モデム及び／又は無線ラップトップ・コンピュータである。
【００４２】
本発明の実施の形態では、ＷＡＮ１０５は、無線キャリア内部ネットワーク又はキャリア・バックボーン１０４に接続されている。本発明の実施の形態では、サーバ１０２はキャリア・バックボーン１０４に接続されている。本発明の代替的な実施の形態では、キャリア・バックボーン１０４はインターネット１０３に接続されている。サーバ１０１はインターネット１０３に接続されている。本発明の実施の形態では、サーバ１０１と１０２は、装置１０６を経由して端末１０７へウェブページを持つウェブサイト又はアプリケーション・コンポーネントなどの情報を提供する。本発明の実施の形態では、端末１０７は装置１０６を経由してサービス及び通信を共有する。
【００４３】
本発明の実施の形態では、図６に示すように、サーバ１０１は、レート・スケジュール・ソフトウェア・コンポーネント６０１、アプリケーション・サービス・ソフトウェア・コンポーネント６０２、メッセージ生成ソフトウェア・コンポーネント６０３、ユーザ・データベース６０４、プロモーショナル・プラン生成ソフトウェア・コンポーネント６０５、価格プラン生成ソフトウェア・コンポーネント６０６、及び送り状生成ソフトウェア・コンポーネント６０７を単一又は組合わせで含む。
【００４４】
ユーザ・データベース６０４は、本発明の実施の形態では、短距離無線ネットワークのユーザの情報を含む。本発明の実施の形態では、例えば、ユーザ・データベース６０４は、使用情報６１０ａ、状態情報６１１ａ、価格プラン６１２ａ、及び交換プラン６１３ａを単一又は組合わせで含む。
【００４５】
使用情報６１０ａは、短距離無線ネットワーク１１６内のユーザ１２０の装置のＷＡＮ通信使用を含む。例えば、使用情報６１０ａは、２００１年１１月２６日の午後３：４５ｐｍと午後３：４７の間に、２つのイメージを電子メール送信するために、ＰＤＡ１０７ｂが装置１０６を経由してＷＡＮ１０５へアクセスしたことを記憶する。代替的な実施の形態では、より詳しい又は簡単な情報を記憶できる。
【００４６】
状態情報６１１ａは、短距離無線ネットワーク１１６中の装置及びバッテリの健康又は状態を含む。例えば、状態情報６１１ａは、ＰＤＡ１０７ｂのバッテリの交換が必要であることを含む。代替的に、状態情報６１１ａは、セルラー・モデム１０６が交換される必要のあることを示す。
【００４７】
価格プラン６１２ａは、ユーザ１２０に対する価格プランを含む。例えば、ユーザ１２０は、午後８：００と午前６：００の間はファイル当たり２ドルでＷＡＮ１０５を経由して短距離無線ネットワーク１１６へＭＰ３音楽ファイルをダウンロードでき、午前６：００と午後８：００の間はファイル当たり１０ドルでダウンロードできる契約を通信オペレータ１２１と結んでいる。この価格プランは、ＷＡＮ１０５のオフピーク使用時間中に大きなファイルをダウンロードすることをユーザに勧め、そして通信オペレータ１２１に収入を増加することを可能にする。また、ユーザは、時間には関係の無い音楽ファイルなどを経済的な方法で得る有利さを得る。また、価格プラン６１２ａは、本発明の実施の形態では、特定の装置タイプ及び／又はデータ・タイプの無制限の使用について最大の周期的な料金を含む。他の同様な価格プランは、通信オペレータ１２１が収入を増加させ、そして顧客に付加価値サービスを提供するためにも、装置の製造者の他のタイプ、データ及び／又は時間間隔に対して使用できる。
【００４８】
交換プラン６１３ａは、ユーザ１２０についての交換プランを含む。例えば、ユーザ１２０は、短距離無線ネットワーク１１６中の装置又は端末１０７のバッテリが故障した時、又は故障しそうな時、交換バッテリを提供されるために、通信オペレータ１２１又はサード・パーティと契約を結んでいる。交換プラン６１３ａは、ユーザ１２０が交換バッテリ及び／又は交換装置を提供されることを望んでいるかどうかを示す。本発明の実施の形態では、交換バッテリがユーザ１２０へ、バッテリの故障又は顕著な故障が検知された時に郵送される。通信オペレータ１２１は、バッテリを販売することにより追加の収入を発生し、そしてユーザ１２０は、１）バッテリの交換が必要であるかどうかを決定する必要がなく、そして２）交換バッテリのために店に行く必要がないという付加価値サービスを得る。
【００４９】
レート・スケジュール・ソフトウェア・コンポーネント６０１は、本発明の１つの実施の形態では、ＷＡＮ１０５にアクセスする又はＷＡＮ１０５へアクセスさせる装置のタイプ、ＷＡＮ１０５にアクセスする又はＷＡＮ１０５へアクセスさせる装置の製造者、ＷＡＮ１０５上を転送されるデータのタイプ及びＷＡＮ１０５にアクセスする時間の期間の単一又は組合わせによる、ＷＡＮ１０５をアクセスするためのレートのスケジュールを記憶する。例えば、通信オペレータ１２１は、午前６：００から午後８：００の間の音声電話に対しては一分当たり０．２５ドルを課金し、深夜に短距離無線ネットワーク１１６でデル（商標）ラップトップから２メガ・バイト・ファイルを転送するについては１．００ドルを課金する。製造者が通信使用料を補助することにより彼らの製品の購入を推進する別の例では、ユーザは日中、何時でもコンパック（商標）ラップトップから２メガ・バイト・ファイルを転送するのに１．５０ドルを課金されるが、同じユーザは別の製造者のラップトップを使用する場合はより高い料金を課金される。本発明のさらに別の実施の形態では、ユーザは使用するソフトウェア・アプリケーションに依存して異なるように課金され。例えば、電子メールを送信するのに電子メール・アプリケーション・プログラムを使用するためには第１レートで課金され、そしてＭＰ３音楽ファイルをダウンロードするためにＭＰ３アプリケーション・ソフトウェア・プログラムを使用するためには第２レートで課金される。
【００５０】
送り状生成ソフトウェア・コンポーネント６０７は、本発明の実施の形態では、ユーザ１２０に対する送り状１２３を生成する。送り状１２３は、本発明の実施の形態では、図１ｂに示すように、プリンタ１２２で印刷出力されて、ユーザ１２０へ郵送される。本発明の代替的な実施の形態では、送り状１２３はユーザに電子メールされる。送り状生成ソフトウェア・コンポーネント６０７は、送り状１２３を生成する際、ユーザ・データベース６０４、特に使用情報６１０ａ及び価格プラン６１２ａにアクセスする。本発明の１つの実施の形態では、送り状生成ソフトウェア・コンポーネントは、使用時間が価格プランの最大料金内にあるかどうかを決定する。代替的な実施の形態では、送り状生成ソフトウェア・コンポーネント６０７は、送り状１２３の周期的な全課金を得るため、使用情報６１０ａ中の使用時間に掛算される適当なレートを得るためにレート・スケジュール・ソフトウェア・コンポーネント６０１へアクセスする。
【００５１】
プロモーショナル・プラン生成ソフトウェア・コンポーネント６０５は、ユーザ１２０又は他の潜在的なユーザに対してプロモーショナル・プランを生成する。プロモーショナル・プラン生成ソフトウェア・コンポーネント６０５は、ユーザに価値を提供しそしてオペレータ１２１へ追加の収入を与えるためのプランを決定するため、ユーザ・データベース６０４中の情報を分析する。例えば、プロモーショナル・プラン生成ソフトウェア６０５は、どのユーザがピークＷＡＮロード時間中にＭＰ３ファイルのダウンロードをして、信号のドロップによりダウンロードを完了することが成功できなかったかを決定する。オペレータ１２１は、これら選ばれたユーザに対して提供される、割引したレートでオフピーク時間中にＭＰ３ファイルをダウンロードするためのプロモーショナル・プランを生成できる。オペレータ１２１は、オフピーク時間中に追加の収入を得ることができ、ユーザ１２０は割引されたレートを受けることができる。
【００５２】
他のプロモーショナル・プランは、特定の製造者の装置を持つ購入者に対して無料のアクセス時間を提供することである。ヘッドセット１０７ｃの製造者は、ＷＡＮ１０５の無料アクセス１００分を提供することにより、ヘッドセットの販売を促進したいと欲するだろう。プロモーショナル・プラン生成ソフトウェア・コンポーネント６０５は、ユーザ・データベース６０４中のどのユーザがその特定の製造者のヘッドセットを購入したかを決定して、無料の１００分を反映するために価格プラン６１２ａを調節する。
【００５３】
同様に、オペレータ１２１は、使用情報６１０ａに基づいて、無料又は割引された装置をユーザ１２０へ提供できる。使用情報６１０ａは、短距離無線ネットワーク１１６内にＰＤＡを持たないが、セルラー電話機を活発に使用するユーザ１２０を示す。無料又は割引されたＰＤＡはユーザ１２０に価値を与え、また、ユーザ１２０が新しいＰＤＡによりＷＡＮ１０５にアクセスすることにより、オペレータ１２１にも収入が増加する機会を提供する。
【００５４】
価格プラン生成ソフトウェア・コンポーネント６０６は、ユーザ・データベース６０４中の情報に基づいてユーザ１２０に対する価格プランを生成する。例えば、価格プラン生成６０６は、ユーザ１２０が追加のサービスを得ることができるかどうかを決定するため、使用情報６１０ａ及び交換プラン６１３ａと既存の価格プランとを比較する。例えば、もし、ユーザ１２０がＷＡＮ１０５上で大量のアクセス時間を使用するが、交換プランを持たない場合、価格生成ソフトウェア・コンポーネントは、もし、ユーザ１２０がバッテリ交換プランについて契約した場合にユーザ１２０の料金を節約する、使用時間について最大の料金を課する価格プランを生成する。新価格プランは、本発明の実施の形態では、ユーザ１２０へ郵送又は電子メールされる。
【００５５】
アプリケーション・サービス・ソフトウェア・コンポーネント６０２は、本発明の実施の形態では、端末１０７中の目標の端末に直接にダウンロードできるソフトウェア・コンポーネントを含む。従って、ユーザ１２０は、追加のサービスを得るためにソフトウェアを端末中にロードするのに、通信オペレータ・サービス・デパートメント又は他のサード・パーティ・ベンダーのところに行く必要が無い。例えば、ユーザ１２０が、ソニー（商標）の製造のＭＰ３ヘッドセット及びパナソニック（商標）の製造の別のＭＰ３ヘッドセットを短距離無線ネットワーク１１６中に持っている。短距離無線ネットワーク１１６から得られた情報に基づいて、通信オペレータ１２１又は別のサード・パーティは、１）ウェブサイトからの無料のＭＰ３ダウンロードを可能にするアプリケーション・ソフトウェア・コンポーネントをソニー（商標）ヘッドセットへダウンロードし、そして２）特別の効果を可能にするアプリケーション・ソフトウェア・コンポーネントをパナソニック（商標）ヘッドセットへダウンロードする。ソフトウェア・アプリケーション・コンポーネントは、製造者及びタイプなどの短距離無線ネットワーク１１６内の端末に関する情報を最初に得ることなくして、目標の端末にダウンロードすることができないだろう。
【００５６】
メッセージ生成ソフトウェア・コンポーネント６０３は、短距離無線ネットワーク１１６、特に、装置１０６又は端末１０７へのメッセージを生成する。本発明の実施の形態では、メッセージは特定の装置がＷＡＮ１０５へアクセスすることを防止するソフトウェアを含むことができる。代替的な実施の形態では、メッセージ生成ソフトウェア・コンポーネント６０３は、オペレータ１２１に対してプロモーショナル・プラン生成ソフトウェア・コンポーネント６０５及び／又は価格プラン生成ソフトウェア・コンポーネント６０６の結果を生成する。これらの結果に基づいて、オペレータ１２１はレート・スケジュール・ソフトウェア・コンポーネント６０１中のレートを変更する。本発明の代替的な実施の形態では、メッセージ生成ソフトウェア・コンポーネント６０３は、ユーザ１２０へ交換装置又はバッテリを提供するためにサード・パーティに対してメッセージを生成する。
【００５７】
本発明の実施の形態では、サーバ１０１は、短距離無線ネットワーク１１６から情報を得るためにＷＡＮ１０５を経由して装置１０６へ転送されるメッセージを生成する。本発明の実施の形態では、メッセージはインターネット／プロトコル（ＩＰ）メッセージである。本発明の実施の形態では、短距離無線ネットワーク１１６からの情報は、ＷＡＮ１０５にアクセスする、端末製造者を含む端末のタイプと、ＷＡＮ１０５上に転送されるデータのタイプと、ＷＡＮ１０５上にデータが転送される時間の間隔とを単一又は組合わせで含む。本発明の実施の形態では、情報はユーザ入力に応答して転送される。本発明の代替的な実施の形態では、情報は装置１０６から、又は、装置１０６へのブルーツース（商標）メッセージを生成して装置がＷＡＮ１０５へのセルラー信号１１を生成する端末１０７から周期的に生成される。本発明の実施の形態では、装置１０６は、短距離無線ネットワーク１１６内の端末１０７の装置タイプ、モデル及び製造者などの装置情報を記憶する。本発明の実施の形態では、装置１０６はＷＡＮ１０５にアクセスするさまざまな端末の１０７の使用の記録を収集する。そして、この記録された情報及び／又は装置情報は、メッセージ要求又はユーザ入力に応答して、周期的にサーバ１０１に転送される。
【００５８】
キャリア・バックボーン１０４に接続されたサーバ１０２は、上述したのと同様のソフトウェア・コンポーネントを有し、本発明の代替的な実施の形態ではインターネット１０３をバイパスする。
【００５９】
ＩＩ．ハンドヘルド装置／端末ハードウェア
図２は、端末１０７及び装置１０６の実施の形態を示す。本発明の実施の形態では、２つのタイプの端末が存在する。１）スマート端末、及び、２）薄型端末である。本発明の代替的な実施の形態では、スマート端末はユーザ論理とアプリケーションを実行する。スマート端末は、相対的に強力な処理ユニットと、オペレイティング・システムと、アプリケーションとを持つ。それらの短距離無線ネットワーク１１６からの主な必要性は、ＴＣＰ／ＩＰを介してＷＡＮ１０５へのアクセス及び記憶及び実行などの他のネットワーク・サービスである。例えば、ラップトップ・コンピュータ１０７ｄ及びＰＤＡ１０７ｂはスマート端末である。薄型端末は相対的に低い能力の処理ユニットとオペレイティング・システムを有する。それらは短距離無線ネットワーク１１６中のアプリケーション・サーバへの周辺機器として主として使用され、そして、それらの主の作業はユーザに対して出力を与え及びアプリケーション・サーバにユーザ入力を与えるユーザ相互作用である。例えば、腕時計１０７ａ又はメッセージ端末は薄型端末とすることができる。
【００６０】
図２は、薄型端末を示す。音声端末２０４はディスプレイ２０４ｂ及び収納型キーパッド２０４ａを含む。メッセージ端末２０３は、端末２０３を開閉するために使用されるヒンジ２０３ａが閉じられた位置で示されている。端末２０３はまた開かれた時、小さなＱＷＥＲＹキーボードとディスプレイを持つ。
【００６１】
本発明の実施の形態では、装置２０１はセルラー・モデムであり、ベルトへのクリップ２０２を含む。
【００６２】
図３ａは、本発明の実施の形態による装置１０６のハードウェア・ブロック図である。装置１０６は、内部及び取外し可能メモリを含む。特に、装置１０６は内部ＦＬＡＳＨ（又は電気的消去可能プログラマブルリードオンリイメモリ（ＥＥＰＲＯＭ））とスタテイックランダムアクセスメモリ（ＳＲＡＭ）３０２及び３０３をそれぞれ含む。本発明の実施の形態では、取外し可能ＦＬＡＳＨメモリ３０４も使用される。メモリ３０２、３０３、及び３０４はバス３０５に接続される。本発明の実施の形態では、バス３０５はアドレス及びデータ・バスである。アプリケーション・プロセッサ３０１は、同じくバス３０５に接続される。本発明の実施の形態では、プロセッサ３０１は３２ビット・プロセッサである。
【００６３】
また、ブルーツース（商標）プロセッサ３０７も、バス３０５に接続される。ブルーツース（商標）ＲＦ回路３０９は、ブルーツース（商標）プロセッサ３０７とアンテナ３１３に接続される。プロセッサ３０７、ＲＦ回路３０９及びアンテナ３１３は、図１ａに示す端末１０７又は図３ｂに示す装置３５０へ及びから短距離無線信号を送信し及び受信する。
【００６４】
ＧＳＭなどのセルラー信号が、デジタル回路３０６と、アナログ回路３０８と、送信機３１０と、受信機３１１と、アンテナ３１２とを使用して、送信及び受信される。デジタル回路３０６は、バス３０５に接続される。代替的な実施の形態では、装置１０６は、ディスプレイ、スピーカー、マイクロホン、キーボード、及びタッチスクリーンを、単一又は組合わせで含む。
【００６５】
図３ｂは、本発明の実施の形態ではハンドヘルド装置である装置３５０を示す。本発明の実施の形態では、装置３５０は、図１ａに示される端末１０７の１つである。装置１０６と同様に、装置３５０はＳＲＡＭ及びＦＬＡＳＨメモリ３５１と３５２をそれぞれ含む。メモリ３５１と３５２はバス３５７に接続されている。本発明の実施の形態では、バス３５７は、アドレス及びデータ・バスである。キーパッド３５３もバス３５７に接続されている。短距離無線信号がブルーツース（商標）プロセッサ３５４とブルーツース（商標）ＲＦ回路３５５を使用して送信及び受信される。アンテナ３５６がブルーツース（商標）ＲＦ回路３５５に接続されている。本発明の実施の形態では、アンテナ３５６が、短距離無線信号を送信及び受信する。代替的な実施の形態では、装置３５０は、ディスプレイ、スピーカー、マイクロホン、キーパッド、及びタッチスクリーンを、単一又は組合わせで含む。当業者には理解されるように、本発明の代替的な実施の形態では、他のハードウェア部品が装置３５０に設けられる。例えば、装置３５０がラップトップ・コンピュータ１０７ｄである実施の形態では、ディスク・ドライブ及び他の入力／出力部品が存在する。
【００６６】
ＩＩＩ．ソフトウェア
図４は、本発明の実施の形態による図３ａに示された装置１０６のためのソフトウェア・アーキテクチャ５００を示す。本発明の実施の形態では、ソフトウェア５００は装置１０６のＦＬＡＳＨメモリ３０２内に記憶される。本発明の代替的な実施の形態では、ソフトウェア・コンポーネント４１４、４１５、４１６は、端末１０７の端末中のＦＬＡＳＨメモリ３５３内に記憶される。本発明の実施の形態では、図４に示されるソフトウェア・コンポーネントは、ソフトウェア・プログラム、ソフトウェア・オブジェクト、ソフトウェア・ファクション、ソフトウェア・サブルーチン、ソフトウェア方法、ソフトウェア・インスタンス、及びコード・フラグメントの単一又は組合わせを表す。代替的な実施の形態では、図４に示されるソフトウェア・コンポーネントにより実行される機能は、ハードウェアで部分的又は完全に実行される。
【００６７】
本発明の実施の形態では、ソフトウェア５００又はソフトウェア５００のコンポーネントは、コンピュータ読取り可能な媒体などの製造物中に記憶される。例えば、ソフトウェア５００は、磁気ハード・ディスク、光ディスク、フレキシブル・ディスク、ＣＤ−ＲＯＭ（コンパクトディスクリードオンリーメモリ）、ＲＡＭ（ランダムアクセスメモリ）、ＲＯＭ（リードオンリーメモリ）、又はその他の読出し又は書込み可能データ記憶技術の単一又は組合わせ中に記憶できる。さらに他の実施の形態では、ソフトウェア又はそのコンポーネントは、図１ａに示されるサーバ１０２からダウンロードされる。
【００６８】
ソフトウェア５００は、特定のセルラー通信ソフトウェア４０３及び短距離無線通信ソフトウェア４０２中に、通信ソフトウェア又は物理層プロトコル・スタックを含む。実施の形態では、通信ソフトウェア４０３は、セルラー信号を送信及び受信するためにプロセッサ３０６と共に使用されるＧＰＲＳベースバンド・ソフトウェア・コンポーネントである。実施の形態では、通信ソフトウェア４０２は、短距離無線信号を送信及び受信するためにプロセッサ３０７により使用されるブルーツース（商標）ベースバンド・ソフトウェア・コンポーネントである。他の通信ソフトウェアも他のベースバンド４０１に示されるように使用できる。
【００６９】
本発明の実施の形態では、オペレイティング・システム（ＯＳ）４０５が通信ソフトウェア４０２及び４０３と通信するために使用される。本発明の実施の形態では、オペレイティング・システム４０５は、リナックス・オペレイティング・システム、英国ロンドンのシンビアン・ソフトウェアから入手可能なＥＰＯＣオペレイティング・システム、米国ワシントン州レドモンドのマイクロソフト（商標）社から入手可能なポケットＰＣ又はステインガー・オペレイティング・システム、又は米国アラバマ州モバイルのアクセルレーテッドから入手可能なニュクラス・オペレイティング・システムである。オペレイティング・システム４０５は、装置ソフトウェア・コンポーネントのためのハードウェアを管理しそして実行空間を可能にする。
【００７０】
メディア抽出層４０４はオペレイティング・システム４０５がベースバンド４０３、４０２及び４０１とそれぞれ通信することを可能にする。メディア抽出層４０４とここに記載された他の抽出層は、ＧＰＲＳなどの特定の通信プロトコルを装置及び／又は端末により使用される標準の命令組に翻訳する。抽出層の目的は、物理スタックを装置ソフトウェア・コンポーネントの他から隔離することである。これは上側層のソフトウェアのいずれも変更することなく異なる物理スタックの将来の使用を可能にし、そして装置ソフトウェアがどんな通信プロトコルと一緒に動作することを可能にする。
【００７１】
通信使用ソフトウェア・コンポーネント４１４及び装置状態ソフトウェア・コンポーネント４１５が、本発明の実施の形態によると、ビジネス決定を行うために短距離無線ネットワーク１１６から情報を提供するために使用される。本発明の代替的な実施の形態では、ソフトウェア・コンポーネント４１４と４１５は、結合されるか又はより多くのソフトウェア・コンポーネントに分割される。上述したように、本発明の実施の形態では、アプリケーション・サービス・ソフトウェア４１６は、サーバ１０１から装置１０６又は端末１０７にロードされる。本発明の代替的な実施の形態では、ソフトウェア・コンポーネント４１４と４１５は、装置１０６又はターミナル１０７の端末のいずれかの単一又は組合わせの中にある。
【００７２】
本発明の実施の形態では、通信ソフトウェア・コンポーネント４１４は、装置１０６と端末１０７によるＷＡＮ１０５の使用を追跡する。通信ソフトウェア・コンポーネント４１４は、短距離無線ネットワーク１１６中のどの装置又は端末がＷＡＮ１０５にアクセスを要求したか、転送されたデータのタイプ、及び時間間隔を記憶する。そして、この追跡使用情報はサーバ１０１内のユーザ・データベース６０４、特に、使用情報６１０ａ内に転送される。
【００７３】
本発明の実施の形態では、装置状態ソフトウェア・コンポーネント４１５は、故障した又は故障しそうな短距離無線ネットワーク１１６内の装置（端末１０７を含む）又はバッテリの追跡をする。そして、この状態情報はサーバ１０１内のユーザ・データベース６０４、特に状態情報６１１ａ内に転送される。
【００７４】
本発明の実施の形態では、短距離無線ネットワーク１１６中の装置１０６及び／又は端末１０７の端末は閾値を記憶する。装置／端末の健康又は状態を決定するために、閾値を測定値と比較する。例えば、本発明の実施の形態では、閾値は予想動作寿命を含む。装置状態ソフトウェア・コンポーネント４１５は、装置／端末が交換されるべきかの指示を生成するために、内部クロック値を閾値と比較する。もし、装置／端末の内部クロック値が閾値よりも大きければ、新しい装置／端末指示が生成される。本発明の実施の形態では、同様な閾値と比較がバッテリの交換のために使用される。
【００７５】
本発明の実施の形態では、通信使用ソフトウェア・コンポーネント４１４、装置状態ソフトウェア・コンポーネント４１５、オペレイティング・システム４０５、及びブルーツース（商標）ベースバンド・ソフトウェア・コンポーネント４０２が、使用及び状態情報を含む短距離無線信号１１０を生成し受信するために使用される。
【００７６】
さらに、グラフイックスユーザインターフェイス（ＧＵＩ）４１７が、使用者に使いやすいインターフェイスを可能にするために提供される。
【００７７】
図５ａ−ｆは、本発明の実施の形態による、短距離無線ネットワーク１１６からの情報に応答してビジネス決定を行うための方法を示す。実施の形態では、方法は図４及び６に示されるソフトウェア・コンポーネントにより部分的に又は完全に実行される。本発明の実施の形態では、図５ａ−ｆに示される論理ボックス又はステップは、ソフトウェア・プログラム、ソフトウェア・オブジェクト、ソフトウェア・ファンクション、ソフトウェア・メソッド、ソフトウェア・インスタンス、コード・フラグメントなどの単一又は組合わせのソフトウェア・コンポーネントの実行を表す。本発明の代替的な実施の形態では、論理ボックス又はステップは、ソフトウェア・コンポーネントの実行、ハードウェアの動作、又はユーザ操作の単一又は組合わせを表す。本発明の代替的な実施の形態では、図５ａ−ｆに示される方法よりも多くの又は少ない論理ボックス又はステップが実行される。
【００７８】
図５ａは、本発明の実施の形態による方法５００ａを示す。短距離無線ネットワーク１１６からの情報が論理ブロック５１０ａに示されるように獲得される。上述したように、情報は、装置１０６及び端末１０７のＷＡＮ使用情報及び／又は状態情報である。そして、論理ブロック５０２ａに示すようにビジネス決定が行われる。上述したように、ビジネス決定は本発明の実施の形態ではユーザにオブジェクトを提供することを含む。代替的な実施の形態では、オブジェクトは提供されない。
【００７９】
図５ｂは、本発明の実施の形態による方法５００ｂを示す。情報が、方法５００ａのようにそしてブロック５０１に示されるように、獲得される。論理ブロック５０２で、ユーザ・データベース６０４などのユーザ情報が入手可能かどうか決定される。もし、ユーザ情報が入手可能ならば、論理は論理ブロック５０３へ行く。そうでなければ、制御は論理ブロック５０４へ移動する。論理ブロック５０３で、使用情報６１０ａ及び／又は状態情報６１１ａなどのユーザ情報が獲得される。ブロック５０４で、オブジェクトがユーザ又は公衆に提供されるかどうかの決定がされる。もし、オブジェクトが提供されるならば、制御がオブジェクトがユーザ又は公衆に提供される論理ブロック５０５へ移される。それ以外は、方法５００ｂは終了する。
【００８０】
図５ｃ−ｆ中の方法５０５ｃ−ｆは、図５ｂの論理ブロック５０５に示されるようなユーザにオブジェクトを提供することを説明する。本発明の実施の形態では、当業者には理解されるように、本請求項の範囲内でユーザにオブジェクトを提供する際に含まれる多数の他の方法が存在する。
【００８１】
図５ｃに示される方法５０５ｃは、短距離無線ネットワーク１１６からの情報に応答してユーザ１２０へ送り状１２３を提供する。本発明の実施の形態では、情報は装置１０６と端末１０７の使用情報を記憶している装置１０６から獲得される。価格プランが、論理ブロック５１０に示されるように、ユーザ・データベース６０４などのユーザ情報から得られる。論理ブロック５１１−５１４において、ＷＡＮ１０５などの通信ネットワークを使用する装置のタイプ、装置の製造者、使用時間期間、及び通信ネットワーク上に転送されるデータのタイプが決定される。本発明の実施の形態では、この情報は装置１０６から獲得された後、使用情報６１０ａ中に記憶される。各使用時の料金額は論理ブロック５１５に示されるように決定される。本発明の実施の形態では、レート・スケジュール・ソフトウェア・コンポーネント６０１中の価格プランとレート・スケジュールが送り状１２３の料金を計算するために使用される。送り状１２３が論理ブロック５１６に示すように印刷されて、そして論理ブロック５１７に示すようにユーザ１２０へ送り状１２３が提供される。
【００８２】
図５ｄに示す方法５０５ｄは、短距離無線ネットワーク１１６からの情報に応答して、交換装置又は交換バッテリをユーザ１２０に提供することを説明する。論理ブロック５２０において、交換装置又はバッテリが必要かどうかが決定される。本発明の実施の形態では、装置又はバッテリの交換が必要かどうかを決定するために、状態情報６１０ａが質問される。そして、ユーザ１２０が交換サービスに同意しているか又は契約していかを決定するために、交換プラン６１３ａが質問される。もし、ユーザ１２０が交換サービスに契約している場合、ブロック５２１及び５２２に示すように、交換装置又はバッテリが包装されて、郵送される。本発明の代替的な実施の形態では、交換装置及び交換バッテリの製造者、卸業者、又は販売店が、それぞれ論理ブロック５２１と５２２を実行する。同様に、ユーザ１２０に交換装置及び／又は交換バッテリを提供するため、論理ブロック５２０が、交換装置及び交換バッテリの製造者、卸業者、又は販売店に、オペレータ１２１からメッセージを生成することを含む。
【００８３】
図５ｅに示される方法５００ｅは、ユーザ１２０又は潜在的なユーザに価格プラン１５２を提供することを説明する。論理ブロック５５０に示されるように、使用情報が獲得される。本発明の実施の形態では、使用情報はユーザ・データベース６０４内の使用情報６１０ａから獲得される。そして、論理ブロック５５１に示されるように価格プラン１５２が計算される。例えば、もし、ユーザ１２０がめったにセルラー電話機１０６を使用せず、ＰＤＡ１０７ｂから大量の電子メールを生成する場合、ＰＤＡ１０７ｂからの電子メールの料金に上限を有し、そしてセルラー電話機１０６での音声使用に対しては１分当たりで課金する価格プランが計算されて、論理ブロック５５２に示すようにユーザ１２０に提供される。価格プラン１５２は、本発明の実施の形態では、ユーザ１２０又は潜在的なユーザへ、手渡し、言葉で、電子メールで、又は郵便で伝達される。プロモーショナル・プランも同様にして提供される。
【００８４】
図５ｆに示される方法５００ｆは、短距離無線ネットワーク１１６にサービスを追加するためにソフトウェア・コンポーネント４１６をダウンロードすることを説明する。論理ブロック５６０に示すように、ユーザが追加のサービスを要求するかどうかを決定する。本発明の実施の形態では、ユーザ１２０は、サービスの要求をオペレータ１２１に電話、電子メール又は郵送をする。論理ブロック５６１に説明されるように、アプリケーション・サービス・ソフトウェア・コンポーネント６０２により、アプリケーション・サービス・ソフトウェア４１６がサーバ１０１からダウンロードされる。
【００８５】
ＩＶ．結論
上述の通り、本発明の好適な実施の形態が説明の目的のためになされた。網羅的な説明でもなく、本発明を開示された正確な形式に限定する意図もない。当業者には明らかに多くの修正と変形が理解される。実施の形態は、本発明の原理を最良に説明し、考えられる特定の用途に適したさまざまな修正を持つさまざま本発明の実施の形態を当業者が理解できるように選ばれた。本発明の範囲は請求項及びその均等により定義されることを意図している。
【図面の簡単な説明】
【００８６】
【図１ａ】本発明の実施の形態によるシステムを示す図。
【図１ｂ】本発明の実施の形態によるシステムを示す図。
【図２】本発明の実施の形態による無線装置及び薄型端末を示す図。
【図３ａ】本発明の実施の形態による装置のハードウェア・ブロック図。
【図３ｂ】本発明の実施の形態による装置のハードウェア・ブロック図。
【図４】本発明の実施の形態による短距離無線ネットワークから情報を提供するためのソフトウェア・ブロック図のアーキテクチャ。
【図５ａ】本発明の実施の形態による短距離無線ネットワークからの情報に応答してビジネス決定を行うためのフローチャート。
【図５ｂ】本発明の実施の形態による短距離無線ネットワークからの情報に応答してオブジェクトを提供するためのフローチャート。
【図５ｃ】本発明の実施の形態による短距離無線ネットワークからの情報に応答してオブジェクトを提供するためのフローチャート。
【図５ｄ】本発明の実施の形態による短距離無線ネットワークからの情報に応答してオブジェクトを提供するためのフローチャート。
【図５ｅ】本発明の実施の形態による短距離無線ネットワークからの情報に応答してオブジェクトを提供するためのフローチャート。
【図５ｆ】本発明の実施の形態による短距離無線ネットワークからの情報に応答してオブジェクトを提供するためのフローチャート。
【図６】本発明の実施の形態によるサーバ１０１のソフトウェア・ブロック図のアーキテクチャ。
【図１ａ】
2005525004.tif 000003
【図１ｂ】
2005525004.tif 000004
【図２】
2005525004.tif 000005
【図３ａ】
2005525004.tif 000006
【図３ｂ】
2005525004.tif 000007
【図４】
2005525004.tif 000008
【図５ａ】
2005525004.tif 000009
【図５ｂ】
2005525004.tif 000010
【図５ｃ】
2005525004.tif 000011
【図５ｄ】
2005525004.tif 000012
【図５ｅ】
2005525004.tif 000013
【図５ｆ】
2005525004.tif 000014
【図５ｇ】
2005525004.tif 000015
【図５ｈ】
2005525004.tif 000016
【図６】
2005525004.tif 000017
【国際調査報告】
2005525004.tif 000018
2005525004.tif 000019
2005525004.tif 000020
2005525004.tif 000021